(57)【要約】【課題】  本発明は、和形瓦屋根の下の隙間に、小鳥が営巣のために侵入することを防止するために、野地板の先端に固定する和形瓦用の小鳥侵入防止材を提供することを目的としている。【解決手段】  屋根構造の軒瓦の下で野地板の上に取着ける合成樹脂製長板状体であって、野地板の前端上面に横長に固定する、側面視で水平な幅の狭い固定部２の前端部２Ａに、垂部分の後面で瓦の最下面との交点部分に前端部３Ａを当接するように傾斜度と長さを決めた前上向きの前面板３を連続形成し、固定部２には、長手方向に一定の間隔で釘孔４を穿孔した。【選択図】  図６
2019154354.tif 000002
【特許請求の範囲】
【請求項１】
屋根構造の軒瓦の下で野地板の上に取着ける合成樹脂製長板状体であって、野地板の前端上面に横長に固定する、側面視で水平な幅の狭い固定部の前端部に、垂部分の後面で瓦の最下面との交点部分に前端部を当接するように傾斜度と長さを決めた前上向きの前面板を連続形成し、固定部には、長手方向に一定の間隔で釘孔を穿孔してなることを特徴とする和形瓦用の小鳥侵入防止材。
【請求項２】
前記前面板の厚さは、固定部と接する基部は厚く、先端方向へ次第に薄く形成してなることを特徴とする請求項１に記載の和形瓦用の小鳥侵入防止材。
【請求項３】
前記前面板の後面には、屈曲させるための横長の線溝が、上下に複数形成されていることを特徴とする請求項１または２に記載の和形瓦用の小鳥侵入防止材。
【請求項４】
前記固定部の前端部と前面板の基端部の間に、断面略Ｃ字状の弾性屈曲部が連続形成されてなることを特徴とする請求項１〜３の何れかに記載の和形瓦用の小鳥侵入防止材。
【請求項５】
前記弾性屈曲部だけを弾力性のある樹脂で一体に形成することを特徴とする請求項４に記載の和形瓦用の小鳥侵入防止材。 
【発明の詳細な説明】
【技術分野】
【０００１】
本発明は、瓦屋根における左右に並ぶ和形瓦の合わせ目部分の隙間に、小鳥が営巣のために侵入することを防止するために、野地板の先端に固定される和形瓦用の小鳥侵入防止材に関する。
【背景技術】
【０００２】
屋根瓦の合わせ部分における、万十部分の下に小鳥が侵入しないようにする軒面戸は、例えば特許文献１に記載されている。瓦屋根の下に小鳥が営巣すると、巣材に付着している病原菌が繁殖し、或いはダニが繁殖したりして、それを小鳥が他所に伝播するという衛生上の問題がある。
特許文献１に記載の軒面戸は、正面視で略富士山状に中央部を高くした板体で、これを野地板の先端上面に横長に固定した、面戸固定桟前部の面戸嵌装溝に嵌装して、面戸の高い部分が、左右の瓦の合わせ部に出来る空間の前面を閉塞して、雀や四十雀などの小鳥の侵入を防止するものである。
【先行技術文献】
【特許文献】
【０００３】
【特許文献１】特開平１０−１４０７６９号公報
【発明の概要】
【発明が解決しようとする課題】
【０００４】
特許文献１に記載の発明においては、面戸の形成には、押出成形機で幅７ｃｍ位の薄く長い板を形成し、これを瓦の幅（約３０cm）程度の長さで、中央部分が高い略三角形に裁断する工程が必要であった。
またこの面戸を軒先に取着けるための、面戸嵌装溝を有する面戸固定桟も作製し、これに複数の面戸を嵌着し位置を特定する必要があった。
工程として、野地板の先端上面に面戸固定桟を横長に固定する工程と、面戸嵌装溝に嵌めた多数の面戸を、瓦を葺く位置に合わせる工程が必要で、更にその上に万十軒瓦を乗せて、瓦の垂と広小舞の先端までの間隔が一定の寸法（瓦により７０〜７５ｍｍ、雪国では約６０ｍｍ）になるように、寸法を測って瓦を固定する必要があり、大変な手間を要した。
本発明は、それらの実情に鑑み、製造コストが低廉で、取付が容易で、万十軒瓦（マンジュウノキガワラ）の位置決めが容易で、かつ万十軒瓦の先端部の重量を支持することができ、瓦下への小鳥の侵入を完全に防止することのできる、従来の軒面戸（ノキメンド）に代わる、和形瓦用の小鳥侵入防止材を提供することを目的としているものである。     
【課題を解決するための手段】
【０００５】
本発明は前記課題を解決するために、次のような技術的手段を講じた。      
【０００６】
（１）屋根構造の軒瓦の下で野地板の上に取着ける合成樹脂製長板状体であって、野地板の前端上面に横長に固定する、側面視で水平な幅の狭い固定部の前端部に、垂部分の後面で瓦の最下面との交点部分に、前端部を当接するように傾斜度と長さを決めた前上向きの前面板を連続形成し、固定部には、長手方向に釘孔を複数穿孔してなる和形瓦用の小鳥侵入防止材。
【０００７】
（２）前記前面板の厚さは、固定部と接する基部は厚く、先端方向へ次第に薄く形成してなる前記（1）に記載の和形瓦用の小鳥侵入防止材。
【０００８】
（３）前記前面板の後面には、屈曲させるための横長の線溝が、上下に複数形成されている前記（1）または（2）に記載の和形瓦用の小鳥侵入防止材。
【０００９】
（４）前記固定部の前端部と前面板の基端部の間に、断面略Ｃ字状の弾性屈曲部が連続形成されてなる前記（1）〜（3）の何れかに記載の和形瓦用の小鳥侵入防止材。                  
【００１０】
（５）前記弾性屈曲部だけを弾力性のある樹脂で一体に形成してなる前記（4）に記載の和形瓦用の小鳥侵入防止材。
【発明の効果】
【００１１】
本発明によると、次のような効果が奏せられる。
【００１２】
前記（1）に記載の発明において小鳥侵入防止材は、２ｍ或いは４ｍの板状の長尺物で、これだけで使用できるのでコスト負担が軽い。
軒面戸のように面戸固定桟が必要でないので、野地板の上に横向きに並べるだけで、位置決めすることができ、かつ釘孔に釘をさして打ち付けるだけで野地板に固定部を容易に固定することができるので作業性に勝れている。
上に万十軒瓦を乗せて、従来の施工方法のように、広小舞から垂部分までの寸法をいちいち計測する必要がなく、万十軒瓦を棟の方へ引くだけで容易に位置合わせをすることができるので、作業性に勝れている。
万十部分の後部の左右隣合わせとした瓦の合わせ目に形成される空洞を、前面から前面板の部分で閉塞することが出来るので、雀や四十雀などの小鳥が空洞に侵入して営巣することができないため、小鳥の営巣によるダニの繁殖、巣材における雑菌の繁殖が抑止され、かつその伝播が抑止される。
本小鳥侵入防止材を取付けても、左右の瓦の合わせ目に形成される空洞の頂点部分の三角状の小間隙は残るが、その間隙から小鳥が侵入することはできず、その間隙から瓦下への通気性が維持されるので、瓦下に湿気や熱気が籠もることが抑制される。
万十軒瓦の先端部分に積雪などで重量がかかると、瓦がずれて、崩落したり隙間が生じて雨漏りの原因になったりするが、本小鳥侵入防止材における前面板の前端部が、垂部分の後面における瓦下に当接しているため、万十軒瓦の前端部に重量がかかっても、前面板が筋交材の役割を果たして、瓦のずれを抑止することができる。
【００１３】
前記（2）に記載の発明において、前面板の厚さが、固定部と接する基部は厚く、先端方向へ次第に薄く形成してあるので、剛性に優れている。
【００１４】
前記（3）に記載の発明のおいて、万十軒瓦は、成形後の乾燥時、焼成時などに歪みが生じるため、瓦の下面は凹凸があるので、施工時に垂部分の後面における瓦の下面に小鳥侵入防止材の前面板の前端部が当接した時に、瓦の下面の凸が大の時は、瓦が浮き上がり、がたつく。
従って前面板の後面に横長の線溝が上下方向に複数形成されていると、瓦を上から抑え着けることにより、線溝の部分から前面板が湾曲して、瓦の浮き上がりが抑止される。
【００１５】
前記（4）に記載の発明においては、小鳥侵入防止材の固定部の前端部と前面板の基端部の間に、断面略Ｃ字状の弾性屈曲部が連続形成されているので、前面板の厚さが厚く曲がりにくくても、弾性屈曲部は弾力的に屈曲させやすく、瓦の下面の凹凸があっても、瓦を押えつけて弾性屈曲部を屈曲させることによって瓦先の持ち上がりを抑制することができる。
【００１６】
前記（5）に記載の発明においては、弾性屈曲部だけを弾力性のある樹脂により形成したので、全体的に厚さが厚くても、弾性屈曲部から容易に屈曲させることができる。       
【図面の簡単な説明】
【００１７】
【図１】本発明の和形瓦用の小鳥侵入防止材の右側面図である。
【図２】図１に示す小鳥侵入防止材の正面図である。
【図３】図１に示す小鳥侵入防止材の後面図である。
【図４】図１に示す小鳥侵入防止材を後側から見た平面図である。
【図５】小鳥侵入防止材を瓦の下に取着ける状態を示す正面図である。
【図６】図５におけるVI−VI線断面図である。
【図７】本発明和形瓦用の小鳥侵入防止材の別の実施例を示す右側面図である。
【発明を実施するための形態】
【００１８】
本発明の一実施形態を図面を参照して説明する。
図１において、和形瓦用の小鳥侵入防止材（以下単に小鳥侵入防止材という）１は、厚さ０．６〜１ｍｍの合成樹脂製の横長の板体からなっている。図１は右側面図で、左方が正面である。水平な固定部２の前端部２Ａから、前上方へ斜めに伸びる前面板３が連設されている。
【００１９】
固定部２の前後幅は、例えば２５ｍｍ、その厚さは例えば１ｍｍであり、前面板３の前後幅は例えば７０ｍｍで、その厚さは、基部は１ｍｍ、前端部３Ａへかけて次第に薄くなり、前端部３Ａの厚さは０．６ｍｍとされているが、これに限定されるものではない。
材質は押出成形ができる樹脂であれば何でもよいが、安価で扱い易いものとしては、スチロール樹脂がある。
【００２０】
前面板３の幅は、使用する瓦の種類によって、適切に対応される。前面板３の傾斜角度は、固定部２に対して約３０度としてあるが、瓦によって異なってくる。
商品としての長さは、１８０ｃｍか２００ｃｍ、或いはその２倍の長さとして、屋根で使用する時には、軒幅一杯に幾本かを並べて使用される。
【００２１】
前面板３の後面には、上下に横長の細線溝４が二本形成されている。これは、瓦における谷部分の下面が不規則で下に凸出があるときには、前面板３が万十軒瓦の前部を持ち上げた状態となり、ずれの原因になるが、細線溝４部分から前面板３が湾曲出来るようにしたことにより、瓦を押え付けると細線溝４の部分から前面板３が湾曲するので瓦を正確に葺設することができる。細線溝４の数は前面板３の厚さが薄い時は１本でもよく厚い時は３本でもかまわない。
【００２２】
固定部２には長手方向に例えば１０ｃｍ或いは１５ｃｍ等一定の間隔で釘孔５が穿孔形成されている。これはなくてもよいが、冬期に材質が硬化していると、釘を打った時に割れる虞れがあるためであり、釘孔５があると、太い釘を打っても割れることはなく、かつ釘の位置決めが容易で作業性が高まる。
【００２３】
図５及び図６は、本発明にかかる小鳥侵入防止材１を屋根に施工する態様を示すもので、図５に示すように野地板の前端部の上面で、瓦の垂の後部に位置して横長に固定部２を固定する。
【００２４】
図６において、野地板の前端に小鳥侵入防止材１の固定部２の前端部２Ａを合わせ、釘孔５に釘を刺して野地板に打ち付け固定する。軒幅が例えば６ｍの屋根ならば、小鳥侵入防止材１は２ｍの物を３本使用することになる。
【００２５】
図６において、万十軒瓦を瓦座の上に並べて屋根の棟方向に引くと、瓦の下面
と垂の後面上端との交点が、小鳥侵入防止材１における前面板３の前端部３Ａに当接する。これによって、従来は、万十軒瓦の垂と広小舞の前端との間隔をいちいち計測して固定したが、その必要がなくなり万十軒瓦の位置決めが簡単にでき、作業効率が向上した。
【００２６】
図５に示すように、万十軒瓦の垂の後部の湾曲した谷部分は、成形後の乾燥による歪みや、窯での焼成時の熱による歪みなどにより、下面に凹凸があるため、小鳥侵入防止材１における前面板３の前端部３Ａが突き当って、小鳥侵入防止材１が硬質であると、万十軒瓦の前部が上に持ち上がることがある。
【００２７】
その点で前面板３の後面に細線溝４があると、その部分から前面板３が屈曲することができ、万十軒瓦を上から押えつけて、前面板３を細線溝４の部分から屈曲させることにより、万十軒瓦の前部分の持ち上がりが防止される。
【００２８】
雀などの小鳥は、図５における万十部分の下から中へ入り込む。その場合、小鳥は身体を垂直にしてホバリングをして、足指を図６の野地板の先端に掛けて中に入りこむ。
しかし、図５に示すように、正面では万十部分の下の空洞部が小鳥侵入防止材１で閉塞されているので、小鳥はホバリングして空洞部に近付けなくなり、かつ足指を野地板の先端に掛けることができなくなったので、中に侵入することはできない。
【００２９】
なお、左右の瓦の合わせ目において、万十部分の後部には、略三角形の空間が出来、小鳥侵入防止材１を配設しても、空間の頂部の三角形の部分は完全に閉塞することはできないが、高さ２ｃｍ程度の小さなものなので、そこから小鳥が侵入することはできない。しかし、その小さな間隙から内部に通気が可能となっているので、瓦下に湿気や熱気が籠もることを緩和することができる。
【００３０】
万十軒瓦の先端部が図６における瓦座よりも前にあると、上に重量がかかると瓦が欠けたり、位置がずれ、後部の瓦を持ち上げたりして雨漏りの原因になることがある。
雪国では１ｍ以上も積雪が有り、雨を含むと、とてつもない重量になり、万十軒瓦の前端が割れたり前方へずれて崩落する虞があるので、温暖地よりも垂部分の位置を１ｃｍも後退した位置に設定する。
【００３１】
従って、雪国用の小鳥侵入防止材１は、図６における前面板３の前端部３Ａを垂部分の位置に合わせて１ｃｍほど後退させた位置になるように、長さを短くし傾斜角度を少し強めて設定して形成する。
【００３２】
以上説明したように、本発明の小鳥侵入防止材１は、以下のような優れた作用効果を有している。
（1）  従来の軒面戸のように山形状に裁断する手間が不要であり、かつ面戸固定桟が不要なので、コスト負担が軽い。
（2）  従来の軒面戸は、軒瓦の施工寸法と１ミリの誤差もないように施工しなければならないが、本小鳥侵入防止材１はその必要がなく、長尺物を使用するので、扱いやすく屋根への取付が容易となる。
（3）  和形瓦の寸法には複数の規格がある。例えば４９Ａ（315×315）、４９Ｂ（325×315）、５３Ａ（305×305）、５３Ｂ（295×315）、５６（295×295）、６０（290×290）等、寸法により区別されている。
従来の軒面戸では、これらの寸法に合わせて裁断しなければならなかったが、本小鳥侵入防止材１は、それらいずれの瓦にも共通として使用することができる。
（4）  近年は、積雪による軒瓦の崩落が問題視されている。すなわち万十部分の位置が瓦座から前方へ離れているので、万十軒瓦の前端部分に１ｍを越える積雪があると、その重量により軒瓦が前に移動して崩落したり、後部の瓦を摺り上げたりする事故が見られた。本小鳥侵入防止材１は、前面板３の前端部３Ａが垂部分の後面に突き当たっており、上方からの力に対しても筋交板の役割を果たすことが期待される。
（5） 従来の軒面戸は、左右に隣合う瓦の合わせ目における野地板との間の隙間を正面方向からほとんど閉塞するので、空気の流通性が少なく、瓦の下に湿気や熱が籠もり易い。
本小鳥侵入防止材１は、万十軒瓦の下向きに湾曲した谷部分の下面に前面板３の前端部３Ａが当接しているので、万十部分の直下の三角状の僅かな部分（２×２ｃｍ程度）は開口が生じるため、ここから棟の方面への通気性が維持されている。
従って、瓦下に湿気や熱が籠もることが改善されており、またその小さな開口では小鳥が中に侵入することはできない特長がある。
（6）  瓦葺きを施工する時には、広小舞の前端から垂部分までの距離を各軒瓦ごとにいちいち計測して位置決めをしなければならないが、本小鳥侵入防止材１は、固定部２の前端部分を野地板の前端部分に合わせるだけで固定することができ、かつ軒瓦は、小鳥侵入防止材１の上に乗せて、ただ棟の方に引くだけで、垂部分の後面が前面板３の前端部３Ａに当接して位置が特定されるので、作業性が著しく向上する。
【００３３】
図７は、本発明の和形瓦用の小鳥侵入防止材１の別の実施例を示す右側面図である。前例と同じ部材には同じ符号を付して説明を省略する。
この実施例においては、固定部２の前端部２Ａの前端部分に、断面略Ｃ字状の弾性屈曲部６を形成して、その前部に前面板３を連続形成したものである。
【００３４】
前記弾性屈曲部６は、固定部２の厚さよりも薄いものとしておくと、固定部２に対する前面板３の屈曲に適し、更に前面板３における固定部２方向の斜め方向への屈伸も可能となるので、図１における細線溝４がなくても、上に乗せる万十軒瓦の谷部分下面の凹凸に対しても難なく対応することができる。
【００３５】
更に野地板の前端に、小鳥侵入防止材１の弾性屈曲部６の後端部を当接することによって、施工時に固定部２の位置決めを容易にすることができる。
なお、前記弾性屈曲部６は、固定部２の厚さよりも薄くして屈曲性を高くすることができる。また弾性屈曲部６の部分だけ、２色成形機により弾力性のある樹脂で形成して弾力性を高めることができる。
なお本小鳥侵入防止材１は、万十軒瓦だけでなく、垂の備わった軒瓦すべてに使用することができる。
【産業上の利用可能性】
【００３６】
本発明の小鳥侵入防止材は、瓦葺屋根の軒瓦の下に取り着けることにより、雀や四十雀などが瓦の下に侵入して繁殖することを完全に防止するとともに、瓦下に湿気や熱気が籠もることを緩和し、また軒瓦が積雪などの重量により移動することを抑制するので、従来の軒面戸に代って、安価なコストで瓦葺き屋根に広く利用することができる。
【符号の説明】
【００３７】
１．和形瓦用の小鳥侵入防止材
２．固定部
２Ａ．前端部
３．前面板
３Ａ．前端部
４．細線溝
５．釘孔
６．弾性屈曲部
【図１】
2019154354.tif 000003
【図２】
2019154354.tif 000004
【図３】
2019154354.tif 000005
【図４】
2019154354.tif 000006
【図５】
2019154354.tif 000007
【図６】
2019154354.tif 000008
【図７】
2019154354.tif 000009